(57)【特許請求の範囲】
【請求項１】
複製可能回数が制限されたコンテンツデータを記録する記録手段と、
前記記録手段が記録するコンテンツデータを複製する複製手段と、
前記記録手段が記録するコンテンツデータの複製可能回数を管理し、前記複製手段による複製に伴って該コンテンツデータの複製可能回数を減算する管理手段と、
前記記録手段に記録されたコンテンツデータを其々アイコンとして示し、対応するコンテンツデータの複製可能回数に応じてアイコンの形状を変化させた一覧表示画面を作成する表示画面作成手段とを備え、
前記一覧表示画面上に配置されるアイコンは、サムネイル画像が表示されるサムネイル画像領域と、前記サムネイル画像に隣接し、該アイコンに対応するコンテンツデータの複製回数に応じて大きさが変化する周辺領域とを有し、
前記表示画面作成手段は、
該アイコンに対応するコンテンツデータの複製可能回数が少ないほど前記周辺領域の面積を小さく表示し、複製可能回数が制限回数に達した場合、前記周辺領域を表示しない
ことを特徴とする記録装置。
【請求項２】
前記管理手段は、前記記憶手段が記憶するコンテンツデータの区間毎にコピー可能回数を管理し、
前記表示画面作成手段は、１のコンテンツデータのうち一部の区間が他の区間と複製可能回数が異なる場合に、該コンテンツデータに対応するアイコンのうち前記周辺領域の画像を変化させる
ことを特徴とする請求項１記載の記録装置。
【請求項３】
前記表示画面作成手段は、前記一覧表示画面上のアイコンを選択するためのカーソルを表示し、
前記表示画面作成手段は、前記カーソルで選択されたアイコンに対応するコンテンツデータの複製可能回数を、前記一覧表示画面上に表示する
ことを特徴とする請求項１又は請求項２記載の記録装置。
【請求項４】
複製可能回数が制限されたコンテンツデータを記録する記録手段と、前記記録手段が記録するコンテンツデータを複製する複製手段と、前記記録手段が記録するコンテンツデータの複製可能回数を管理し、前記複製手段による複製に伴って該コンテンツデータの複製可能回数を減算する管理手段と、前記記録手段に記録されたコンテンツデータを其々アイコンとして示し、対応するコンテンツデータの複製可能回数に応じてアイコンの形状を変化させた一覧表示画面を作成する表示画面作成手段とを備えた記録装置における記録方法であって、
前記一覧表示画面上に配置されるアイコンは、サムネイル画像が表示されるサムネイル画像領域と、前記サムネイル画像に隣接し、該アイコンに対応するコンテンツデータの複製回数に応じて大きさが変化する周辺領域とを有し、
該アイコンに対応するコンテンツデータの複製可能回数が少ないほど前記周辺領域の面積を小さく表示し、複製可能回数が制限回数に達した場合、前記周辺領域を表示しない
ことを特徴とする記録方法。
【請求項５】
前記管理手段は、前記記憶手段が記憶するコンテンツデータの区間毎にコピー可能回数を管理し、
前記表示画面作成手段は、１のコンテンツデータのうち一部の区間が他の区間と複製可能回数が異なる場合に、該コンテンツデータに対応するアイコンのうち前記周辺領域の画像を変化させる
ことを特徴とする請求項４記載の記録方法。
【発明の詳細な説明】
【技術分野】
【０００１】
本発明は、記録装置および記録方法に関する。
【背景技術】
【０００２】
近年、テレビジョン放送のデジタル化が推進されている。例えば、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上デジタル放送も開始されている。
【０００３】
このようなデジタル放送にあっては、著作権保護の観点から、放送されるコンテンツに対して、デジタルコピーを全く許可しないコピー禁止の形態、又は、１世代限りのデジタルコピーを許可する、いわゆるコピーワンスと称される形態のコピー制限を施すことが広く行われている。
【０００４】
このため、デジタル放送を受信するデジタル放送受信機能を持つ記録装置においては、コピーワンスの制限が施された番組を受信し、これにより得られるコンテンツデータを所定の記録メディアに記録した場合、その記録メディアに記録されたコンテンツデータを、他の記録メディアにデジタルコピーすることは不可能となっている。
【０００５】
尚、コピーワンスの制限が施されたコンテンツデータは、所定の記録メディアに記録された後、コピーではなくムーブ（移動）によって他の記録メディアに移すことができる。即ち、記録元となる記録メディアに記録されたコンテンツデータは、記録先となる記録メディアに書き込まれた後、記録元の記録メディアからは再生不可能となるように処理される。
【０００６】
特許文献１には、コピー制御情報により録画不可に設定されている番組について録画が要求されたとき、その録画指定された番組の番組名や放送日時などの情報と共に、「指定の番組は録画（コピー）することができません」という旨の警告メッセージを表示させることが開示されている。
【特許文献１】特開２００７−１６５９５０号公報
【発明の開示】
【発明が解決しようとする課題】
【０００７】
これに対し、現在、例えばＨＤＤ（Ｈａｒｄ  Ｄｉｓｋ  Ｄｒｉｖｅ）等の記録媒体を内蔵するタイプのデジタル放送受信装置については、受信して記録媒体に記録したコンテンツに対し、その記録媒体から他の記録媒体に其々１世代に限って複数回のデジタルコピーを可能とする方針が提案され、現在検討されている。
【０００８】
ところで、このように、受信したコンテンツデータを内蔵の記録装置に記録し、その記録媒体から１世代限りで複数回という多様なデジタルコピーを行えるように構成された装置にあっては、ユーザがコンテンツデータのコピー（複製）を行う際に必要とする情報を容易に把握できるようにすることが重要である。
【０００９】
そこで本発明は上記事情を考慮してなされたもので、ユーザがコピーを行う際の利便性を向上させるようにした記録装置および記録方法を提供することを目的とする。
【課題を解決するための手段】
【００１０】
上記目的を達成するために、本発明の記録装置は、複製可能回数が制限されたコンテンツデータを記録する記録手段と、前記記録手段が記録するコンテンツデータを複製する複製手段と、前記記録手段が記録するコンテンツデータの複製可能回数を管理し、前記複製手段による複製に伴って該コンテンツデータの複製可能回数を減算する管理手段と、前記記録手段に記録されたコンテンツデータを其々アイコンとして示し、対応するコンテンツデータの複製可能回数に応じてアイコンの形状を変化させた一覧表示画面を作成する表示画面作成手段とを備え、前記一覧表示画面上に配置されるアイコンは、サムネイル画像が表示されるサムネイル画像領域と、前記サムネイル画像に隣接し、該アイコンに対応するコンテンツデータの複製回数に応じて大きさが変化する周辺領域とを有し、前記表示画面作成手段は、該アイコンに対応するコンテンツデータの複製可能回数が少ないほど前記周辺領域の面積を小さく表示し、複製可能回数が制限回数に達した場合、前記周辺領域を表示しないことを特徴とする。
【発明の効果】
【００１１】
本発明によれば、ユーザがコピーを行う際の利便性を向上させるようにした記録装置および記録方法を提供することができる。
【発明を実施するための最良の形態】
【００１２】
以下、本発明の記録装置について、図面を参照しながら説明する。図１は、この実施の形態で説明するテレビジョン放送受信装置１００の概略を示している。
アンテナ１０２で受信したデジタル放送信号は図示しない入力端子を介してデジタルチューナ部１０４に供給され、このデジタルチューナ部１０４で所望のチャネルの放送信号が選局される。
【００１３】
このデジタルチューナ部１０４で選局された放送信号は、暗号解読部１０６に供給されてデスクランブル処理が施された後、復号部１０８に供給されて復号化処理が行われる。復号部１０８から出力されたデジタル信号は、グラフィック処理部１１０に供給され、ＧＵＩ（Ｇｒａｐｈｉｃａｌ  Ｕｓｅｒ  Ｉｎｔｅｒｆａｃｅ）処理部１１１から出力される、コンテンツデータの一覧表示画面等のＧＵＩを示すＯＳＤ（Ｏｎ  Ｓｃｒｅｅｎ  Ｄｉｓｐｌａｙ）信号がこのデジタル信号と重畳された後、表示部１１２での映像表示に供される。尚、復号部１０８で復号され出力されるデジタル信号は映像信号だけでなく音声信号も含み、図示しないスピーカでの音声再生にも供される。
【００１４】
また、上記暗号解読部１０６で復号化処理（デスクランブル処理）が施されたコンテンツデータは、暗号化部１１４によりローカル暗号化処理が施された後、デジタルテレビジョン放送受信装置１００に内蔵されたＨＤＤ１１６部に供給され、記録される。この場合、ＨＤＤ部１１６に記録することを指示されたコンテンツデータに対しては、コピー可能回数抽出部１１８により、該コンテンツデータに設定されたコピー可能回数（例えば、１度記録後複製を作成することができないコピーワンスか、１世代に限り９個複製ができるダビング１０か、無制限に複製可能なコピーフリーか等）が抽出され、このコピー可能回数情報は、各コンテンツデータと対応付けられてコピー回数管理部１２０で管理される。ＨＤＤ部１１６に記録されたコンテンツデータを他の１つの記録メディアにコピーすることが要求された場合、コピー回数管理部１２０は、自身が管理する該コンテンツデータのコピー可能回数から１減算し、減算後のコピー可能回数をコピー可能回数情報として格納する。
【００１５】
コピー回数管理部１２０が管理するコピー可能回数情報について、図２を参照しながら簡単に説明する。
本実施例のコピー回数管理部１２０は、コピー可能回数情報として、ＨＤＤ部１１６に格納されるコンテンツデータのリスト、及びコピー可能回数だけでなく、コンテンツデータに係る番組が放送された放送時間、チャネル等の種々情報も合わせて記憶するようにしている。
【００１６】
より具体的には、図２の例では、例えば「哲子の部屋」というタイトル、放送時間１２月２３日（日）１５：００−１５：４５、１０チャネルの番組を録画して得られたコンテンツデータが、残りコピー可能回数９回である旨の情報がコピー可能回数情報として、コピー回数管理部１２０によって管理されている。
【００１７】
この他、図２の例では其々「Ｆ１中継」「世界の車から」「不思議発見」「ガリレオ探偵」「散策京都」のタイトルを持つ５つのコンテンツデータも合わせてＨＤＤ部１１６に格納されており、其々現時点でのコピー可能回数が４回、８回、２回、０回、９回であることがわかり、各コンテンツデータに係る番組の放送時間等の情報も合わせて管理されている。
【００１８】
コピー回数管理部１２０で管理されるコピー可能回数は、図１の例ではＨＤＤ部１１６とは別の構成として記載されているが、ＨＤＤ部１１６の内部に記憶するようにしてもよい。しかしながら、ユーザによる改ざんを防止し、著作権保護を十分に図るため、暗号化してコピー可能回数情報を管理することが望ましい。
【００１９】
再び図１の説明に戻り、ＨＤＤ部１１６に記録されたコンテンツデータは、他の記録メディアにコピー（複製）される場合、ＨＤＤ部１１６で読み出され、暗号解読部１２２によりローカル暗号が解かれた後、暗号化部１２４によりコピー先の記録メディアに対応した暗号化処理が施された後、記録メディアＤに記録される。
【００２０】
この実施の形態では、他の記録メディアとして、デジタルテレビジョン放送受信装置１００に対して着脱自在となる、例えばＤＶＤ（Ｄｉｇｉｔａｌ  Ｖｅｒｓａｔｉｌｅ  Ｄｉｓｋ）やＨＤ  ＤＶＤ[KH1] （Ｈｉｇｈ  Ｄｅｆｉｎｉｔｉｏｎ  ＤＶＤ）等の光ディスクＤと、デジタルテレビジョン放送受信装置１００に外部接続される、例えばＨＤＤ等を内蔵する記録再生装置とを想定している。
【００２１】
暗号化部１２４は、入力されたコンテンツデータに対して、例えば、コピー先の記録メディアとしてＤＶＤが指定される場合には、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）に準拠した暗号化処理を施すように機能し、コピー先の記録メディアとしてＨＤ  ＤＶＤが指定される場合には、ＡＡＣＳ（Ａｄｖａｎｃｅｄ  Ａｃｃｅｓｓ  Ｃｏｎｔｒｏｌ  Ｓｙｓｔｅｍ）に準拠した暗号化処理を施すように機能する。また、コンテンツデータがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格に準拠した形態で外部の記録再生装置に伝送される場合、暗号化部１２４は、入力されたコンテンツに対して、ＤＴＣＰ（Ｄｉｇｉｔａｌ  Ｔｒａｎｓｍｉｓｓｉｏｎ  ＣＯｎｔｅｎｔ  Ｐｒｏｔｏｃｏｌ）に準拠した暗号化処理を施すように機能し、Ｅｔｈｅｒｎｅｔ（登録商標）などのＩＰ（Ｉｎｔｅｒｎｅｔ  Ｐｒｏｔｏｃｏｌ）経由で外部の記録再生装置に伝送される場合には、ＤＴＣＰ−ＩＰに準拠した暗号化処理を施すように機能する。
【００２２】
そして、暗号化部１２４で暗号化されたコンテンツデータは、ディスクドライブ部１２６に供給されることにより、そこに装着された光ディスクＤに記録される。また、暗号化部１２４で暗号化されたコンテンツデータは、デジタルＩ／Ｆ（Ｉｎｔｅｒｆａｃｅ）部１２８により、例えばＩＥＥＥ１３９４等のデジタル信号伝送規格に準拠したフォーマットに変換された後、外部の記録再生装置に供給され記録される。
【００２３】
上記のような構成とされたデジタルテレビジョン放送受信装置１００において、以下、その主要な処理動作について説明する。図３は、コンテンツ一覧画面表示処理をまとめたフローチャートを示している。
【００２４】
ユーザが、図示しないリモートコントローラ等の操作によりコンテンツ一覧の表示要求を行うと（Ｓ６０１のＹｅｓ）、ＧＵＩ処理部１１１は、図４に例を示すようなコンテンツ一覧画面を作成し、グラフィック処理部１１０へ出力する（Ｓ６０２）。尚ここで、ＧＵＩ処理部１１１は、コピー回数管理部１２０からコピー可能回数情報を取得し、この情報を元に、各コンテンツデータに対応するアイコンを作成してコンテンツ一覧画面上に配置する。更に、カーソル３２により選択されているアイコン３１に対し、吹出し３３を表示して著作権保護形態及びコピー可能回数をメッセージ表示する（Ｓ６０３）。以下、図４を参照しながらコンテンツ一覧表示画面について説明する。
【００２５】
図４は、本実施例に係るＧＵＩ処理部１１１が作成するコンテンツ一覧表示画面の例を示す図である。図４の例では、図２に例を示したコピー可能回数情報を元に、各コンテンツデータに対応するアイコンを其々作成して配置している。より具体的には、「哲子の部屋」「Ｆ１中継」「世界の車から」「散策京都」「ガリレオ探偵」「不思議発見」をそれぞれタイトルとして持つコンテンツデータのアイコン３１を６つ作成している。また、合わせてカーソル３２も表示するようにしており、ユーザが行う操作によりカーソル３２を上下左右に動かし、１つのアイコン３１を選択することができるようになっている（図４の例では、「Ｆ１中継」のアイコンが選択されている）。
【００２６】
また更に、図４のコンテンツ一覧表示画面３００の例では、カーソル３２で選択されたアイコン３１に対し、吹出し３３を表示するようにしている。この吹出し３３には、カーソル３２で選択されたアイコン３１に対応するコンテンツデータの著作権保護形態、及びコピー可能回数をメッセージ表示できるようになっている。例えば図４では、該コンテンツデータの著作権保護形態が「回数制限付コピー可能」である旨、及び残りコピー可能回数が４回である旨が示されている。
【００２７】
アイコン３１の形状について、図５を参照しながら詳述する。図５は、コンテンツ一覧表示画面３００に配置されるアイコン３１を示す図である。
アイコン３１は、サムネイル画像３１ａと、周辺画像３１ｂと、コンテンツ情報３１ｃとから構成される。サムネイル画像３１ａは、該アイコンに対応するコンテンツデータから抽出した静止画像である。アイコン３１上にこのようなサムネイル画像３１ａを表示することにより、ユーザは内容を把握しやすくなる。
【００２８】
周辺画像３１ｂは、サムネイル画像３１ａに隣接して配置される画像であり、サムネイル画像３１ａと周辺画像３１ｂとを合わせて三次元的に見えるような形状となっている。この周辺画像３１ｂは、コピー回数管理部１２０が管理するコピー可能回数情報に応じて変化するようになっており、より具体的には、アイコン３１に対応するコンテンツデータに設定されたコピー可能回数に応じて、大きさ（特に、図中幅ｄ）が変化するようになっている。例えば、当初ダビング１０の設定がされて放送された番組のコンテンツデータであれば、録画してすぐのコピー可能回数が９回の状態であるときの周辺画像３１ｂの大きさ（即ちｄの幅）が最も大きく、９回のコピーが終了した後は、周辺画像３１ｂの大きさ（即ちｄの幅）が最も小さく（もしくは周辺画像３１ｂを表示しない）なるようにする。このようにコピー可能回数に応じて画像を変化させることにより、ユーザは直感的にコピー可能回数を把握することができるようになる。
【００２９】
コンテンツ情報３１ｃは、タイトル、該コンテンツデータに係る番組の放送時間等の情報を、テキストデータをして表記したものである。このようなコンテンツ情報３１ｃを表示することにより、ユーザは何の番組を録画したコンテンツデータであるかを把握することができる。
【００３０】
再び図３に戻り、コンテンツ一覧表示画面３００の表示後、ユーザがリモートコントローラ等の入力デバイスによる操作入力によりカーソル３２を移動させた場合には（Ｓ６０４のＹｅｓ）、カーソル移動前に表示していた吹出し３３の表示をやめると共に、新たに選択されたアイコン３１に対して吹出し３３を表示してコピー可能回数等を示す（Ｓ６０３）。
【００３１】
カーソル移動以外の操作をユーザが行った場合には（Ｓ６０４のＮｏ）、その操作に応じた処理、例えばコンテンツデータの再生処理や複製処理等を行い、処理を終える（Ｓ６０５）。
【００３２】
続いて、図６を参照しながら、コンテンツデータの複製処理について説明する。図６は、コンテンツデータの複製時の処理の流れをまとめたフローチャートを示している。
【００３３】
例えばコンテンツ一覧表示画面３００上で１のコンテンツデータ（に対応するアイコン３１）を選択してユーザから複製を要求されると（Ｓ５０１のＹｅｓ）、制御部１５０は、該コンテンツデータに設定されているコピー可能回数が１以上であるか否かをコピー回数管理部１２０に問い合わせる（Ｓ５０２）。もしコピー可能回数が１以上あれば（Ｓ５０２のＹｅｓ）、制御部１５０はＨＤＤ部１１６から該コンテンツデータを読み出して暗号解読部１２２及び暗号化部１２４を経てディスクドライブ部１２６若しくはデジタルＩ／Ｆ部１２８に出力させ、複製処理を行う（Ｓ５０３）。もしこの複製処理が成功すれば（Ｓ５０４のＹｅｓ）、コピー回数管理部１２０は、このコンテンツデータのコピー可能回数を１減算する（Ｓ５０５）。
【００３４】
もしユーザが複製を指示したコンテンツデータに設定されたコピー可能回数が０回（即ちＮｏＭｏｒｅＣｏｐｙの状態）であった場合、或いは複製処理に失敗した場合には（Ｓ５０４のＮｏ）、ＧＵＩ処理部１１１はエラーメッセージを作成して表示部１１２に表示させる（Ｓ５０６）。
【００３５】
このようにコピー可能回数を管理することで、ＨＤＤ部１１６に格納されたコンテンツデータの著作権を確実に保護することができる。
尚、上述の例ではコピー可能回数に制限がある場合のみを示していたが、図７に示すように、周辺画像３１ｂのうち周辺部をぼかして表示することにより、コピーフリー（無制限複製可）を示すようにしてもよい。
【００３６】
以下、他の実施形態について説明する。図８は、アイコン３１の第２の形態について示す図である。図８の例でも、アイコン３１が、サムネイル画像３１ａと、周辺画像３１ｂと、コンテンツ情報３１ｃとから構成される点については、図５と同様である。しかしながら図８の例では、周辺画像３１ｂが、サムネイル画像３１ａを元に作成されている点が図５の例と異なる。
【００３７】
図８の例では、サムネイル画像３１ａを４枚重ねた形状とし、下に来るサムネイル画像の一部が周辺画像３１ｂを構成している。このサムネイル画像３１ａを重ねている枚数である４枚は、該アイコン３１に対応するコンテンツデータのコピー可能回数である４回と対応している。このようにサムネイル画像の枚数とコピー可能回数とを対応付けることで、ユーザは直接的にコピー可能回数を把握することができるようになる。
【００３８】
また、上述の実施例では、コピー可能回数をコンテンツデータ全体でコピー可能回数を管理しているが、これを区間ごとに管理するようにしてもよい。例えば歌番組で好みのアーティストが歌う場面のみを複製（コピー）するような場合に、区間毎にコピー可能回数を管理するようにすれば、他の複製を行っていない部分についてもコピー可能回数が減少することを避けることができ、ユーザの利便性が向上する。コピー可能回数を区分ごとに管理する場合の実施形態について、図９及び図１０を参照しながら説明する。
【００３９】
図９は、コピー可能回数を区間ごとに管理する場合のアイコン３１の形状の例を示す図である。周辺部３１ｂについて、一部切り欠きを設け、幅がｄ１の区間と幅がｄ２の区間とを設けるようにしている。これにより、ユーザは一部区間のコピー可能回数が他よりも少ないことを直感的に把握することができる。
【００４０】
さらに、カーソル３２でこのアイコン３１を選択されれば、吹出し３３に「全区分コピー可能回数：２回」「部分的にコピー可能回数：４回」と表示されるので、ユーザはより詳細な情報をしることができるようになる。[KH2]
【００４１】
このような実施形態における、コピー回数管理部１２０によるコピー可能回数情報の例について図１０を参照しながら説明する。
図１０のコピー可能回数情報の例では、開始位置からの時間情報、及びその区間のコピー可能回数を管理している。図１０の例では、時刻「００：００：００」から時刻「０１：３４：３８」までの区間のコピー可能回数は４回、時刻「０１：３４：３８」から「０２：０３：２５」までのコピー可能回数は２回、時刻「０２：０３：２５」から最後までのコピー可能回数は４回となっている。ある一定区間だけを複製する際には、コピー回数管理部１２０はその区間についてのみコピー可能回数を減じることになる。
【００４２】
尚、図１０の例では時間によって管理しているがこれに限られるものではなく、例えば開始からのデータ量（開始位置からのバイト数等）、チャプタ等で管理するようにしてもよい。
【００４３】
以上説明したように、本実施例によれば、コンテンツ一覧表示画面３００表示の際に、回数制限付でコピーが可能であるコンテンツデータについてはサムネイル表示を三次元的に行って奥行きを持たせることで、著作権保護形態及びコピー可能回数を視覚的に容易に把握することができるようになる。
【００４４】
また、コピー可能回数を周辺画像３１ｂと連動させて示すことにより、比較的小さい面積で回数をユーザに示すことができると共に、視覚的に把握しやすくなる。
更に、コピー回数に制限のない（コピーフリーの）コンテンツデータについては、奥行き方向をぼかして制限がないように表示することで、ユーザがコピー回数に制限がないことを把握できるようになっている。
【図面の簡単な説明】
【００４５】
【図１】本発明の実施例１に係るデジタルテレビジョン放送受信装置の概略を示すブロック図。
【図２】本発明の実施例１に係るデジタルテレビジョン放送受信装置が管理するコピー可能回数情報の例を示す図。
【図３】本発明の実施例１に係るデジタルテレビジョン放送受信装置がコンテンツ一覧画面を表示する際の処理の流れを示すフローチャート。
【図４】本発明の実施例１に係るデジタルテレビジョン放送受信装置が表示するコンテンツ一覧画面の例を示す図。
【図５】本発明の実施例１に係るデジタルテレビジョン放送受信装置が表示するアイコンの例を示す図。
【図６】本発明の実施例１に係るデジタルテレビジョン放送受信装置が複製処理を行う際の処理の流れを示す図。
【図７】本発明の実施例１に係るデジタルテレビジョン放送受信装置が表示するアイコンの例を示す図。
【図８】本発明の他の実施形態に係るデジタルテレビジョン放送受信装置が表示するアイコンの例を示す図。
【図９】本発明の他の実施形態に係るデジタルテレビジョン放送受信装置が表示するアイコンの例を示す図。
【図１０】本発明の他の実施形態に係るデジタルテレビジョン放送受信装置が管理するコピー可能回数情報の例を示す図。
【符号の説明】
【００４６】
３１・・・アイコン
３１ａ・・・サムネイル画像
３１ｂ・・・周辺画像
３１ｃ・・・テキスト情報
３２・・・カーソル
３３・・・吹出し
１００・・・デジタルテレビジョン放送受信装置
１０２・・・アンテナ
１０４・・・デジタルチューナ部
１０６・・・暗号解読部
１０８・・・復号部
１１０・・・グラフィック処理部
１１１・・・ＧＵＩ処理部
１１２・・・表示部
１１４・・・暗号化部
１１６・・・ＨＤＤ部
１１８・・・コピー可能回数抽出部
１２０・・・コピー回数管理部
１２２・・・暗号解読部
１２４・・・暗号化部
１２６・・・ディスクドライブ部
１２８・・・デジタルＩ／Ｆ部
【図１】
0004987741.tif 000002
【図２】
0004987741.tif 000003
【図３】
0004987741.tif 000004
【図４】
0004987741.tif 000005
【図５】
0004987741.tif 000006
【図６】
0004987741.tif 000007
【図７】
0004987741.tif 000008
【図８】
0004987741.tif 000009
【図９】
0004987741.tif 000010
【図１０】
0004987741.tif 000011